(57)【要約】【課題】  複数の電話番号を一の携帯電話機で使用することを可能とする移動通信システムを提供すること。【解決手段】  この移動通信システム１ａは、携帯電話機４０が他の通信端末に発呼する際に、携帯電話機４０から送信される、携帯電話機４０を特定するための第１端末情報及び該第１端末情報に関連付けられた付加情報と他の通信端末を特定するための第２端末情報と、を受信する発呼要求受信部３０１と、当該受信した第１端末情報及び付加情報に基づいて、他の通信端末に通知するための付加番号を特定する付加番号特定部１０２と、当該特定した付加番号を使用して他の通信端末の呼び出しを要求する呼出要求部３０３と、を備える。【選択図】  図１
2005340962.tif 000002
【特許請求の範囲】
【請求項１】
移動通信端末が他の通信端末に発呼する際に、前記移動通信端末から送信される、前記移動通信端末を特定するための第１端末情報及び該第１端末情報に関連付けられた付加情報と前記他の通信端末を特定するための第２端末情報と、を受信する発呼要求受信手段と、
当該受信した第１端末情報及び付加情報に基づいて、前記他の通信端末に通知するための付加番号を特定する付加番号特定手段と、
当該特定した付加番号を使用して前記他の通信端末の呼び出しを要求する呼出要求手段と、
を備える、移動通信システム。
【請求項２】
移動通信端末が他の通信端末に発呼する際に、前記移動通信端末から送信される、前記移動通信端末を特定するための第１端末情報及び該第１端末情報に関連付けられた付加情報と前記他の通信端末を特定するための第２端末情報と、を受信する発呼要求受信手段と、
当該受信した第１端末情報及び付加情報に基づいて、前記他の通信端末に通知するための付加番号を問い合わせる付加番号要求手段と、
当該問い合わせに応じて送信される付加番号を使用して前記他の通信端末の呼び出しを要求する呼出要求手段と、
を備える、移動通信装置。
【請求項３】
移動通信端末が他の通信端末に発呼する際に、前記移動通信端末から送信される、前記移動通信端末を特定するための第１端末情報及び該第１端末情報に関連付けられた付加情報を含む前記他の通信端末に通知するための付加番号の問い合わせを受け付ける付加番号受付手段と、
当該問い合わせに応じて、前記他の通信端末に通知するための付加番号を特定する付加番号特定手段と、
を備える、移動通信装置。
【発明の詳細な説明】
【技術分野】
【０００１】
この発明は移動通信システム及び移動通信装置に関する。
【背景技術】
【０００２】
複数の電話機が同一の電話番号を共有するシステムがある。このシステムでは、例えば通常の電話機とファクシミリ装置とが電話番号を共有するものである（例えば、特許文献１参照）。
【特許文献１】特開平１１−２７３９１号公報
【発明の開示】
【発明が解決しようとする課題】
【０００３】
ところで、一つの電話機で複数の電話番号を使用したいというニーズがある。これは、発信先ごとに電話番号を使いわけて利便性を上げることを目的にしているが、上述の背景技術ではこのニーズを満たすことができない。
【０００４】
そこで、本発明は複数の電話番号を一の移動通信端末で使用することを可能とする移動通信システム及び移動通信装置を提供することを目的とする。
【課題を解決するための手段】
【０００５】
本発明の移動通信システムは、（１）移動通信端末が他の通信端末に発呼する際に、移動通信端末から送信される、移動通信端末を特定するための第１端末情報及び該第１端末情報に関連付けられた付加情報と他の通信端末を特定するための第２端末情報と、を受信する発呼要求受信手段と、（２）当該受信した第１端末情報及び付加情報に基づいて、他の通信端末に通知するための付加番号を特定する付加番号特定手段と、（３）当該特定した付加番号を使用して他の通信端末の呼び出しを要求する呼出要求手段と、を備える。
【０００６】
本発明の移動通信システムによれば、発呼しようとする移動通信端末から第１端末情報と付加情報とを受け取って、その付加情報に基づいて付加番号を特定するので、付加情報に応じて付加番号を変えることができる。また、特定した付加番号で他の通信端末の呼び出しを要求するので、複数の番号を使って発呼を行うことができる。
【０００７】
本発明の移動通信装置は、（４）移動通信端末が他の通信端末に発呼する際に、移動通信端末から送信される、移動通信端末を特定するための第１端末情報及び該第１端末情報に関連付けられた付加情報と他の通信端末を特定するための第２端末情報と、を受信する発呼要求受信手段と、（５）当該受信した第１端末情報及び付加情報に基づいて、他の通信端末に通知するための付加番号を問い合わせる付加番号要求手段と、（６）当該問い合わせに応じて送信される付加番号を使用して他の通信端末の呼び出しを要求する呼出要求手段と、を備える。
【０００８】
本発明の移動通信装置によれば、発呼しようとする移動通信端末から第１端末情報と付加情報とを受け取って、その第１端末情報及び付加情報に対応する付加番号を問い合わせるので、付加番号に応じて番号の問い合わせができる。その問い合わせに応じて送信される付加番号を使用して他の通信端末の呼び出しを要求するので、複数の番号を使って発呼を行うことができる。
【０００９】
本発明の移動通信装置は、（７）移動通信端末が他の通信端末に発呼する際に、移動通信端末から送信される、移動通信端末を特定するための第１端末情報及び該第１端末情報に関連付けられた付加情報を含む他の通信端末に通知するための付加番号の問い合わせを受け付ける付加番号受付手段と、（８）当該問い合わせに応じて、他の通信端末に通知するための付加番号を特定する付加番号特定手段と、を備える。
【００１０】
本発明の移動通信装置によれば、発呼しようとする移動通信端末から第１端末情報と付加情報とを受け取って、その付加情報に基づいて付加番号を特定するので、付加情報に応じて付加番号を変えることができる。
【発明の効果】
【００１１】
本発明によれば、複数の電話番号を一の移動通信端末で使い分けて発呼することができる。
【発明を実施するための最良の形態】
【００１２】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１３】
本発明の実施形態である移動通信システム１ａについて図１を参照しながら説明する。移動通信システム１ａは、発着信制御装置１０（移動通信装置）と、関門交換機２０と、交換機３０（移動通信装置）と、を備える。交換機３０には地域レジスタ３５１が対応し、交換機３０の配下の領域３０ａには携帯電話機４０（移動通信端末）が在圏している。
【００１４】
交換機３０について説明する。交換機３０は配下の領域３０ａに在圏する携帯電話機４０の発着信を制御するものである。交換機３０は領域３０ａに在圏する携帯電話機４０から発呼の要求を受信すると、関門交換機２０に対して回線の設定を要求する。また、関門交換機２０から領域３０ａに在圏する携帯電話機４０の呼び出しを受信すると、交換機３０は携帯電話機４０の呼び出しを行う。
【００１５】
交換機３０は更に、発呼要求受信部３０１（発呼要求受信手段）と、付加番号要求部３０２（付加番号要求手段）と、呼出要求部３０３（呼出要求手段）と、を備える。引き続いてこれらの機能的な構成要素について説明する。
【００１６】
発呼要求受信部３０１は、携帯電話機４０が他の通信端末に発呼する際に、携帯電話機４０から送信される、携帯電話機４０を特定するための第１端末情報（ユーザＩＤ、電話番号）及びその第１端末情報に関連付けられた付加情報と他の通信端末を特定するための第２端末情報（電話番号）を受信する部分である。この付加情報は、他の通信端末に通知する付加番号としての電話番号を特定するためのものである。発呼要求受信部３０１は、第１端末情報、付加情報、及び第２端末情報を付加番号要求部３０２に出力する。発呼要求受信部３０１は、携帯電話機４０から付加情報を受信しなかった場合には、第１端末情報及び第２端末情報を呼出要求部３０２に出力する。
【００１７】
付加番号要求部３０２は、発呼要求受信部３０１から出力される第１端末情報及び付加情報に基づいて、他の通信端末に通知するための付加番号を問い合わせる部分である。より具体的には、付加番号要求部３０２は、第１端末情報及び付加情報を発着信制御装置１０に送信し、その第１端末情報及び付加情報に対応する付加番号を要求する。この要求に応じて発着信制御装置１０からは付加番号が送信される。付加番号要求部３０２はこの送信された付加番号を第２端末情報と共に呼出要求部３０３に出力する。
【００１８】
呼出要求部３０３は、発呼要求受信部３０１又は付加番号要求部３０２から出力される情報に基づいて、関門交換機２０に対して回線設定要求を行う部分である。より具体的には、発呼要求受信部３０１から第１端末情報及び第２端末情報が出力された場合には、呼出要求部３０３はその第１端末情報及び第２端末情報を関門交換機２０に送信して回線設定要求を行う。また、付加番号要求部３０２から付加番号及び第２端末情報が出力された場合には、呼出要求部３０３はその付加番号及び第２端末情報を関門交換機２０に送信して回線設定要求を行う。
【００１９】
引き続いて、発着信制御装置１０について説明する。発着信制御装置１０は、関門交換機２０から着信要求を受信すると、その着信要求に対応する携帯電話機がどの交換機の配下にいるかを応答する。
【００２０】
発着信制御装置１０は更に、付加番号受付部１０１（付加番号受付手段）と、付加番号特定部１０２（付加番号特定手段）と、付加番号出力部１０３（付加番号出力手段）と、ホームレジスタ１５１と、を備える。
【００２１】
付加番号受付部１０１は、交換機３０の付加番号要求部３０２から送信される第１端末情報及び付加情報を受信し、付加番号特定部１０２に出力する部分である。すなわち、付加番号受付部１０１は、携帯電話機４０が他の通信端末に発呼する際に、携帯電話機４０から送信される、携帯電話機４０を特定するための第１端末情報及びその第１端末情報に関連付けられた付加情報に基づいて、他の通信端末に通知するための付加番号の問い合わせを受け付ける部分である。
【００２２】
付加番号特定部１０２は、付加番号受付部１０１から出力される第１端末情報及び付加情報に基づいて、他の通信端末に通知するための付加番号を特定する部分である。より具体的には、付加番号特定部１０２は、第１端末情報及び付加情報とホームレジスタ１５１に格納されている情報とに基づいて付加番号を特定する。
【００２３】
ホームレジスタ１５１に格納されている情報の例を図２に示す。図２に示す例に拠れば、ホームレジスタ１５１には、「電話番号」「契約」「付加情報」「ランク」「付加番号」の各情報がそれぞれ関連付けられて格納されている。「電話番号」は該当する携帯電話機が契約している電話番号である。「契約」は複数の付加番号を使用する契約を締結しているかどうかの情報である。「ランク」は基本番号か付加番号かを識別するための情報である。基本番号とは契約している電話番号であり、付加番号とは付加的に与えられた番号である。「付加番号」は「付加情報」に対応する番号を示している。
【００２４】
従って、付加番号特定部１０２は、例えば第１端末情報が「０９０ＸＸＸＸＹＹＹＹ」であって付加情報が「０１」であれば、「０９０ＸＸＸＸＺＺＺＺ」を付加番号として特定する。付加番号特定部１０２は、特定した付加番号を付加番号出力部１０３に出力する。
【００２５】
付加番号出力部１０３は、付加番号特定部１０２が特定した付加番号を交換機３０に送信する部分である。
【００２６】
引き続いて、本実施形態の移動通信システム１ａの動作について図３に示すシーケンス図を参照しながら説明する。携帯電話機４０のユーザがボタン操作などで、発呼先の他の通信端末を特定して発呼操作を行う。携帯電話機４０はこの発呼先に対応する付加情報を選択し、携帯電話機４０を特定するための第１端末情報及び他の通信端末を特定するための第２端末情報と共に交換機３０に送信する（Ｓ０１）。尚、携帯電話機４０が契約している電話番号で発呼する場合には付加情報は送信されない。この送信された第１端末情報、付加情報、及び第２端末情報は交換機３０の発呼要求受信部３０１が受信する。
【００２７】
発呼要求受信部３０１は、第１端末情報及び第２端末情報と共に付加情報が送信されたかを判断する（Ｓ０２）。付加情報が送信されていなければ、発呼要求受信部３０１は呼出要求部３０３に第１端末情報及び第２端末情報を出力する（Ｓ０３）。付加情報が送信されていれば、発呼要求受信部３０１は付加番号要求部３０２に第１端末情報、付加情報、及び第２端末情報を出力する（Ｓ０４）。
【００２８】
付加番号要求部３０２は、第１端末情報及び付加情報を発着信制御装置１０に送信する（Ｓ０５）。この送信された第１端末情報及び付加情報は発着信制御装置１０の付加番号受付部１０１が受信する。付加番号受付部１０１は受信した第１端末情報及び付加情報を付加番号特定部１０２に出力する（Ｓ０６）。付加番号特定部１０２は第１端末情報及び付加情報に基づいてホームレジスタ１５１に格納されている情報を検索し、対応する付加番号を特定する（Ｓ０７）。付加番号特定部１０２は特定した付加番号を付加番号出力部１０３に出力する（Ｓ０８）。付加番号出力部１０３は付加番号を交換機３０に送信する（Ｓ０９）。
【００２９】
送信された付加番号は、交換機３０の付加番号要求部３０２が受信する。付加番号要求部３０２は受信した付加番号と第２端末情報とを呼出要求部３０３に出力する（Ｓ１０）。呼出要求部３０３は、発呼要求受信部３０１から第１端末情報及び第２端末情報が出力された場合にはその情報に基づいて、付加番号要求部３０２から付加番号及び第２端末情報が出力された場合にはその情報に基づいて、関門交換機２０に対して回線設定要求を行う（Ｓ１１）。関門交換機２０はこの回線設定要求に応じて、第２端末情報に対応する通信端末に対して回線の設定を行う。
【００３０】
本実施形態では次のような態様を採用することも好ましい。携帯電話機４０において、第２端末情報と、その第２端末情報のユーザ名と、付加情報と、を対応させて電話帳登録できるようにすることも好ましい。また、その電話帳登録の設定画面において、例えばメニュー表示で「基本契約番号」「付加番号１」「付加番号２」を表示させ、それらを選択することで付加情報の設定が完了するようにしていることも好ましい。また、基本契約番号で発呼したか、付加番号で発呼したか、で電話料金を分計できるようにしていることも好ましい。より具体的には、交換機３０が携帯電話機４０の通話が終了した際に、どの番号で通話したかの情報を課金装置（図示しない）に対して送信することで実現できる。
【００３１】
上述のように本実施形態では、発呼しようとする携帯電話機４０から第１端末情報と付加情報とを交換機３０が受信し、交換機３０から発着信制御装置１０に対してその第１端末情報及び付加情報に対応する付加番号の要求がなされ、発着信制御装置１０はその付加情報に基づいて付加番号を特定するので、付加情報に応じて付加番号を変えることができる。また、この付加番号は発着信制御装置１０から交換機３０に送信され、交換機３０は特定した付加番号で他の通信端末の呼び出しを要求するので、複数の番号を使って発呼を行うことができる。
【図面の簡単な説明】
【００３２】
【図１】本実施形態の移動通信システムの構成を示す図である。
【図２】図１のホームレジスタに格納されている情報の例を示す図である。
【図３】本実施形態の移動通信システムの動作を示す図である。
【符号の説明】
【００３３】
１ａ…移動通信システム、１０…発着信制御装置、２０…関門交換機、３０…交換機、３０ａ…領域、４０…携帯電話機、３５１…地域レジスタ、１０１…付加番号受付部、１０２…付加番号特定部、１０３…付加番号出力部、１５１…ホームレジスタ、３０１…発呼要求受信部、３０２…付加番号要求部、３０３…呼出要求部。
【図１】
2005340962.tif 000003
【図２】
2005340962.tif 000004
【図３】
2005340962.tif 000005